(57)【要約】      （修正有）【課題】従来の芳香剤容器において、常時芳香成分を蒸散させるものでは、その成分の殆どを無駄に消耗している。スプレー式の物ではいちいち操作が面倒である。また、出入口の扉の開閉動作を機械的に伝達させる物では、構造が複雑になり安価に製造できない。風動による物では、十分に機能を発揮できない事があった。【解決手段】扉の開閉時に容器本体に内蔵されたオモリ体の慣性を利用するもので、第一にオモリ体１２が小さな弁８を小さな力で開閉させて、各気室１、２、３間に気圧差を発生させ、また大気圧を利用して弁８を開閉させる。第二に本体容器の内部に配置されたパイプの内部を、オモリ体が移動し、パイプの内部をピストン運動をする。その工程で芳香剤成分を放散させることが出来る慣性噴霧式芳香剤容器を構成する。【選択図】図１
2004357739.tif 000002
【特許請求の範囲】
【請求項１】
本体容器（４）の内部に、気室（１）と気室（２）及び気室（３）を備え、
気室（１）と気室（２）は隔壁（５）で仕切られ、気室（３）は気室（１）と気室（２）の間をそれぞれ隔壁（６）と隔壁（７）により仕切られており、
隔壁（５）は弁（８）を有し、隔壁（６）は小穴（１３）を有し、隔壁（７）は小穴（１４）を有し、
気室（１）の内部に配置された支持体（１０）は一端を兆番（９）を通して本体容器（４）に可動的に接続され、他の一端に栓（１１）とオモリ体（１２）を有し、栓（１１）はオモリ体（１２）により弁（８）に圧接され、
気室（２）の内部に配置された噴出ノズル（１５）は、一端が本体容器（４）の外部に開口され、他の一端は弁（８）により開閉される事を特徴とする慣性噴霧式芳香剤散布器。
【請求項２】
支持体（１０）が兆番（９）から鉛直方向に垂下し、支持体（１０）をその両側より挟むように、栓（１１）とオモリ体（１２）が配設されてなる事を特徴とする請求項１記載の慣性噴霧式芳香剤散布器。
【請求項３】
弁（８）の中央部の開口時面積が、小穴（１３）の開口面積に対して大きい事を特徴とする請求項１乃至請求項２記載の慣性噴霧式芳香剤散布器。
【請求項４】
小穴（１４）の開口面積が、小穴（１３）の開口面積に対して大きい事を特徴とする請求項１乃至請求項３記載の慣性噴霧式芳香剤散布器。
【請求項５】
パイプ（１６）が隔壁（７）を貫通し、一端が気室（３）へ開口し、他の一端が噴出ノズル（１５）の近傍に開口されてなる事を特徴とする請求項１乃至請求項４記載の慣性噴霧式芳香剤散布器。
【請求項６】
本体容器（２４）の内部に、気室（２１）と気室（２２）及び気室（２３）を備え、
気室（２１）と気室（２２）は隔壁（２５）で仕切られ、気室（２１）は気室（２３）と隔壁（２６）で仕切られ、気室（２２）は気室（２３）との間を隔壁（２７）及び隔壁（３３）により仕切られており、
隔壁（２５）は弁（２８）を有し、隔壁（２６）は小穴（３０）を有し、隔壁（２７）は小穴（３１）を有し、
気室（２１）の内部に球型オモリ体（２９）が可動自在に配置され、
気室（２２）の内部に配置された噴出ノズル（３２）は、一端が本体容器（２４）の外部に開口され、他の一端は弁（２８）により開閉される事を特徴とする慣性噴霧式芳香剤散布器。
【請求項７】
弁（２８）の中央部の開口時面積が、小穴（３０）の開口面積に対して大きい事を特徴とする請求項６記載の慣性噴霧式芳香剤散布器。
【請求項８】
小穴（３１）の開口面積が、小穴（３０）の開口面積に対して大きい事を特徴とする請求項６乃至請求項７記載の慣性噴霧式芳香剤散布器。
【請求項９】
パイプ（３４）が隔壁（３３）を貫通し、一端が気室（２３）へ開口し、他の一端が噴出ノズル（３２）の近傍に開口されてなる事を特徴とする請求項６乃至請求項８記載の慣性噴霧式芳香剤散布器。
【請求項１０】
本体容器（４３）の内部に、一端が本体容器（４３）の開口部（４８）を通じて開口され他の一端が本体容器（４３）により閉塞されるパイプ（４４）が配置され、該パイプ（４４）の内部にオモリ体（４５）が可動自在に配置され、該パイプ（４４）の閉塞された一端に近い側面に小穴（４６）及び開口された一端に近い側面に小穴（４７）が配置されてなる事を特徴とする慣性噴霧式芳香剤散布器。
【請求項１１】
該パイプ（４４）の開口部（４８）を通じて開口される一端が他の一端より低く配置されてなる事を特徴とする請求項１に記載の慣性噴霧式芳香剤散布器。
【請求項１２】
本体容器（４３）の内部に、一端が本体容器（４３）の開口部（４８）を通じて開口され他の一端が本体容器（４３）の開口部（５１）を通じて開口されるパイプ（４４）が配置され、該パイプ（４４）の内部にオモリ体（４５）が可動自在に配置され、該パイプ（４４）の開口部（５１）に近い側面に小穴（４６）及び開口部（４８）に近い側面に小穴（４７）が配置され、開口部（４８）の内側に兆番（４９）によって開閉する弁（５０）が配置され、開口部（５１）の外側に兆番（５２）によって開閉する弁（５３）が配置されてなる事を特徴とする慣性噴霧式芳香剤散布器。
【請求項１３】
本体容器（４３）の内部に配置されたパイプ（４４）が、取り付けられた扉面に対して、角度を持って配設されてなる事を特徴とする請求項１０乃至請求項１２記載の慣性噴霧式芳香剤散布器。
【発明の詳細な説明】
【０００１】
【発明の属する技術分野】本発明は、トイレ等の入り口の扉の開閉に伴って芳香成分を撒布する芳香剤散布器に関する。
【０００２】
【従来の技術】
一般にトイレ内で使用されている芳香剤散布器としては、手動によるスプレー式の物が市販されており、また扉の開閉によって噴霧器より芳香成分を噴霧する構造が考案されている。（例えば特許文献１参照）。他に出入口の扉の開閉による風動により連動して開閉される物も考案されている。（例えば特許文献２参照）。
【０００３】
【特許文献１】
特開平８−２０９８５号公報
【特許文献２】
特開２００１−７０４３０号公報
【０００４】
【発明が解決しようとする課題】
しかしながら、従来の技術の芳香剤散布器に於いては以下の問題がある。手動によるスプレー式の物ではいちいち操作をしなければならず面倒である。また、出入口の扉の開閉動作を機械的に伝達して噴霧をする物では、構造が複雑になり調整が難しくまた部品にかかる力が大きく損傷し易い事や、安価に製造できないという問題がある。
【０００５】
【課題を解決するための手段】
本発明はトイレの扉の開閉に伴って、容器本体に内蔵されたオモリ体がその質量から発生する慣性を利用して容器を移動し、容器内部に内蔵された芳香剤成分を放散させることが出来る慣性噴霧式芳香剤散布器を構成する。
【０００６】
【発明の実施の形態】
本発明の第一の実施例の構造は図１に示す通り、本体容器（４）の内部に、気室（１）と気室（２）及び気室（３）を備え、
気室（１）と気室（２）は隔壁（５）で仕切られ、気室（３）は気室（１）と気室（２）の間をそれぞれ隔壁（６）と隔壁（７）により仕切られており、
隔壁（５）は弁（８）を有し、隔壁（６）は小穴（１３）を有し、隔壁（７）は小穴（１４）を有し、
気室（１）の内部に配置された支持体（１０）は一端を兆番（９）を通して本体容器（４）に可動的に接続され、他の一端に栓（１１）とオモリ体（１２）を有し、栓（１１）はオモリ体（１２）により弁（８）に圧接され、
気室（２）の内部に配置された噴出ノズル（１５）は、一端が本体容器（４）の外部に開口され、他の一端は弁（８）により開閉されるものである。
気室（３）の内部には芳香剤成分とそれを噴出させる役目を持つ大気圧より十分に高い気圧の気体が充填されている。
本体容器（４）はトイレ等の出入口の扉に固着されて使用される。
【０００７】
図１は第一の実施例の平常時の正面の断面図であり、気室（１）と気室（２）は気室（３）に充填された気体が、それぞれ小穴（１３）及び小穴（１４）を通って満たされており、気室（１）と気室（２）の気圧は気室（３）の気圧と等しい。弁（８）は中央の開口部を栓（１１）により塞がれている。この時、弁（８）は噴出ノズル（１５）を通じた大気圧と、気室（１）との気圧差により噴出ノズル（１５）を閉口させている。
図２はトイレ等の出入口の扉が開閉動作が行われ、本発明の慣性噴霧式芳香剤散布器の動作が開始された時の正面の断面図である。本体容器（４）は出入口の扉に固着されているため扉と共に移動する。しかし支持体（１０）は本体容器（４）に対して可動的に結合されておりその一端に配設されたオモリ体（１２）の質量から発生する慣性により、本体容器（４）に遅れて移動し、支持体（１０）の一端に配設された栓（１１）が、弁（８）の中央の開口部を開口させる。この時、弁（８）の中央の開口部面積が小さい事より栓（１１）に掛かる力は小さく、オモリ体（１２）の質量から発生する慣性により開口する事が容易にできる。次に気室（１）から弁（８）の中央の開口部を通して噴出ノズル（１５）から気体が放出される。この時、弁（８）の中央の開口面積は小穴（１３）の面積より広い為、流入量より放出量の方が多く、気室（１）の気圧を低下させる。
次に図３に示す様に、気室（１）の気圧が低下した事により、気室（２）の気圧が気室（１）の気圧より高くなり、その気圧差により弁（８）が気室（２）側から気室（１）側へ押され噴出ノズル（１５）を開口させる。噴出ノズル（１５）からは小穴（１４）を通じて芳香剤成分を含んだ気体が放出される。この時に弁（８）の中央の開口部は閉口していても構わない、何故なら次の段階で栓（１１）により塞がれるのだから。しかし、弁（８）の中央部の開口時面積が、小穴（１３）の開口面積に対して大きく開口している方が気室（１）と気室（２）の気圧差がより長く維持され、より長く芳香剤成分を放出させる事ができる。また、同様に小穴（１３）の開口面積が、小穴（１４）の開口面積に対して小さくないと、気室（１）の気圧がすぐに高くなり放出時間を維持できない。
その後、本体容器（４）に遅れて移動していた、支持体（１０）が本体容器（４）に追い着き、支持体（１０）が兆番（９）の鉛直下に移動し、弁（８）の中央の開口部を栓（１１）が塞ぎ閉口させる。すると気室（１）へ小穴（１３）から気体が流入し気圧が高まっていく。気室（２）は噴出ノズル（１５）から気体が流出する為に気圧が平常時より低下している。気室（１）の気圧が気室（２）の気圧より高くなり、その気圧差により弁（８）が気室（１）側から気室（２）側へ押され噴出ノズル（１５）を閉口させ、芳香剤成分を含んだ気体の放出が止る。気室（２）へは小穴（１４）を通じて気体が流入して気圧が高くなり図１の平常時に戻る。
【０００８】
図４は本発明の第二の実施例の断面図であり、隔壁（７）をパイプ（１６）が貫通し、一端が噴出ノズル（１５）の近傍に開口され、他の一端が気室（３）の内部にある液体芳香剤（１７）の液中に開口してなる構造である。
前述の図３と同等の状態にあり噴出ノズル（１５）が開口されて気室（２）の気圧が低下すると、気室（３）の気圧が気室（２）の気圧より相対的に高くなり液体芳香剤（１７）を押し下げ、また噴出ノズル（１５）に流入する気流による負圧によって、パイプ（１６）を通して液体芳香剤（１７）が気室（２）へ導入され、噴出ノズル（１５）に流入する気流に乗って噴霧される。
【０００９】
本発明の第三の実施例の構造は図５に示す通り、本体容器（２４）の内部に、気室（２１）と気室（２２）及び気室（２３）を備え、
気室（２１）と気室（２２）は隔壁（２５）で仕切られ、気室（２１）は気室（２３）と隔壁（２６）で仕切られ、気室（２２）は気室（２３）との間を隔壁（２７）及び隔壁（３３）により仕切られており、
隔壁（２５）は弁（２８）を有し、隔壁（２６）は小穴（３０）を有し、隔壁（２７）は小穴（３１）を有し、
気室（２１）の内部に球型オモリ体（２９）が可動自在に配置され、
気室（２２）の内部に配置された噴出ノズル（３２）は、一端が本体容器（２４）の外部に開口され、他の一端は弁（２８）により開閉される構造である。
気室（２３）の内部には芳香剤成分とそれを噴出させる役目を持つ大気圧より十分に高い気圧の気体が充填されている。
本体容器（２４）はトイレ等の出入口の扉に固着されて使用される。
【００１０】
図５は第三の実施例の平常時の断面図であり、気室（２１）と気室（２２）は気室（２３）に充填された気体が、それぞれ小穴（３０）及び小穴（３１）を通って満たされており、気室（２１）と気室（２２）の気圧は気室（２３）の気圧と等しい。弁（２８）は中央の開口部を球型オモリ体（２９）により塞がれている。この時、弁（２８）は噴出ノズル（３２）を通じた大気圧と、気室（１）との気圧差により噴出ノズル（３２）を閉口させている。
図６はトイレ等の出入口の扉が開閉動作が行われ、本発明の慣性噴霧式芳香剤散布器の動作が開始された時の断面図である。本体容器（２４）は出入口の扉に固着されているため扉と共に移動する。しかし球型オモリ体（２９）は本体容器（２４）に対して可動的に配置されておりその質量から発生する慣性により、本体容器（２４）に遅れて移動し、弁（２８）の中央の開口部を開口させる。この時、弁（２８）の中央の開口部面積が小さい事より球型オモリ体（２９）に掛かる力は小さく、球型オモリ体（２９）の質量から発生する慣性により開口する事が容易にできる。次に気室（２１）から弁（２８）の中央の開口部を通して噴出ノズル（３２）から気体が放出される。この時、弁（２８）の中央の開口面積は小穴（３０）の面積より広い為、流入量より放出量の方が多く、気室（２１）の気圧を低下させる。
次に図７に示す様に、気室（２１）の気圧が低下した事により、気室（２２）の気圧が気室（２１）の気圧より高くなり、その気圧差により弁（２８）が気室（２２）側から気室（２１）側へ押され噴出ノズル（３２）を開口させる。噴出ノズル（３２）からは小穴（３１）を通じて芳香剤成分を含んだ気体が放出される。この時に弁（２８）の中央の開口部は閉口していても構わない、何故なら次の段階で球型オモリ体（２９）により塞がれるのだから。しかし、開口している方が気室（２１）と気室（２２）の気圧差がより長く維持され、より長く芳香剤成分を放出させる事ができる。また、同様に小穴（３０）の開口面積が、小穴（３１）の開口面積に対して小さくないと、気室（２１）の気圧がすぐに高くなり放出時間を維持できない。
その後、本体容器（２４）に遅れて移動していた、球型オモリ体（２９）が本体容器（２４）に追い着き、弁（２８）の中央の下向き凹部に落ち込み開口部を塞ぎ閉口させる。すると気室（２１）へ小穴（３０）から気体が流入し気圧が高まっていく。気室（２２）は噴出ノズル（３２）から気体が流出する為に気圧が平常時より低下している。気室（２１）の気圧が気室（２２）の気圧より高くなると、気圧差により弁（２８）が気室（２１）側から気室（２２）側へ押され噴出ノズル（３２）を閉口させ、芳香剤成分を含んだ気体の放出が止る。気室（２２）へは小穴（３１）を通じて気体が流入して気圧が高くなり図５の平常時に戻る。
【００１１】
図８は本発明の第四の実施例の断面図であり、隔壁（３３）をパイプ（３４）が貫通し、一端が噴出ノズル（３２）の近傍に開口され、他の一端が気室（２３）の内部にある液体芳香剤（３５）液中に開口してなる構造である。
前述の図７と同等の状態にあり噴出ノズル（３２）が開口されて気室（２２）の気圧が低下すると、気室（２３）の気圧が気室（２２）の気圧より相対的に高くなり液体芳香剤（３５）を押し下げて、パイプ（３４）を通して液体芳香剤（３５）が気室（２２）へ導入され、また噴出ノズル（３２）に流入する気流による負圧によって、パイプ（３４）より吸い上げられた液体芳香剤（３５）が噴出ノズル（３２）に流入する気流に乗って噴霧される。
【００１２】
図９は本発明の第五の実施例の断面図であり、構造は本体容器（４３）の内部に、一端が本体容器（４３）の開口部（４８）を通じて開口され他の一端が本体容器（４３）により閉塞されるパイプ（４４）が配置され、該パイプ（４４）の内部にオモリ体（４５）が可動自在に配置され、該パイプ（４４）の閉塞された一端に近い側面に小穴（４６）及び開口された一端に近い側面に小穴（４７）が配置され、気室（４２）の内部には芳香剤を内包する構成である。
ここで、パイプ（４４）は上下に傾いて配置されており、パイプ（４４）の低い方に位置しているオモリ体（４５）により、開口部（４８）は塞がれている。この傾きが逆になっていると、開口部（４８）が開口されたままとなり、常に芳香成分が放散され無駄に消耗し不都合である。
扉の開閉動作が行われ図９の右側へ扉が移動すると、扉に固定されている本体容器（４３）は扉と共に移動するが、オモリ体（４５）はその質量に起因する慣性に依ってその位置に留まろうとして、パイプ（４４）の内部で本体容器（４３）に対して相対的に左へ移動する。オモリ体（４５）がパイプ（４４）の内部を移動すると、まず塞がっていた開口部（４８）を開口し、オモリ体（４５）の左側にある気室（４１）の内部の気体を押し、押された気体は小穴（４６）を通って気室（４２）へ流入し、更に気室（４２）の内部で押された気体は小穴（４７）を通って気室（４１）へ流出する。この時気室（４１）へ流出した気体は、気室（４２）の内部に配置された芳香剤により芳香成分を含んでいる。
この後図１１に示す状態から、扉の逆方向の動き及びパイプ（４４）の傾きによりオモリ体（４５）がパイプ（４４）の低い方へ向かって移動すると、オモリ体（４５）の右側にある気室（４１）の内部の芳香成分を含んだ気体を開口部（４８）より放出し、その後開口部（４８）を閉塞させる。
扉の開閉動作は開時と閉時があり必ず往復動作を伴うものであり、オモリ体（４５）のピストン運動の移動方向と、扉の開閉移動方向とが合っていれば、開時又は閉時のどちらかに於いて動作する。開時に動作するように設置すれば、扉の移動工程の範囲での芳香成分の撒布と、扉の移動に伴う気流によってより広範囲な芳香成分の撒布ができる。
【００１３】
本発明の第六実施例の構造は図１３す通り、本体容器（４４）の内部に、一端が本体容器（４３）の開口部（４８）を通じて開口され他の一端が本体容器（４３）の開口部（５１）を通じて開口されるパイプ（４４）が配置され、該パイプ（４４）の内部にオモリ体（４５）が可動自在に配置され、該パイプ（４４）の開口部（５１）に近い側面に小穴（４６）及び開口部（４８）に近い側面に小穴（４７）が配置され、開口部（４８）の内側に兆番（４９）によって開閉する弁（５０）が配置され、開口部（５１）の外側に兆番（５２）によって開閉する弁（５３）が配置されて、気室（４２）の内部には芳香剤を内包する構成である。
図１３は平常時を示しており、パイプ（４４）は上下に傾いて配置されており、パイプ（４４）の低い方にオモリ体（４５）は位置しており、弁（５０）と弁（５３）は共に閉じており、開口部（４８）と開口部（５１）は共に塞がっている。
扉の開閉動作が行われ図１３の右側へ扉が移動すると図１４に示す様に、扉に固定されている本体容器（４３）は扉と共に移動するが、オモリ体（４５）はその質量に起因する慣性に依ってその位置に留まろうとして、パイプ（４４）の内部で本体容器（４３）に対して相対的に左側へ移動する。オモリ体（４５）がパイプ（４４）の内部を移動すると、オモリ体（４５）の左側にある気室（４１）の内部の気体を押し出し、開口部（５１）を通って兆番（５２）によって可動的に開閉する弁（５３）を押し空けて、本体容器（４３）の外部に芳香成分を含んだ気体を放出する。それと同時に、オモリ体（４５）の右側にある気室（４１）の内部の気体が希薄になり、開口部（４８）を通って兆番（４９）によって可動的に開閉する弁（５０）を押し空けて本体容器（４３）の外部から空気が気室（４１）へ流入する。
この後、扉の逆方向の動き及びパイプ（４４）の傾きによりオモリ体（４５）がパイプ（４４）の低い方へ向かって移動すると、オモリ体（４５）の右側にある気室（４１）の内部の気体が押され弁（５０）を閉じる。気室（４１）の内部で更に押された気体は小穴（４７）を通って気室（４２）へ流入し、更に気室（４２）の内部で押された気体は小穴（４６）を通って気室（４１）へ流出する。この時気室（４１）へ流出した気体は、気室（４２）の内部に配置された芳香剤（５４）により芳香成分を含んでいる。この時、オモリ体（４５）の左側にある気室（４１）の内部の気体を引き込む為、開口部（５１）は弁（５３）が気体によって引き込まれて閉塞して、図１３の平常時に戻る。
【００１４】
オモリ体（４５）の形状は、パイプ（４４）の断面に合わせた形状で、かつパイプ（４４）の内部を摺動的に移動が可能で有れば良い。例えば、パイプ（４４）の断面が円形で有ればオモリ体（４５）の形状は球体又は円柱となり、パイプ（４４）の断面が四角形で有ればオモリ体（４５）の形状は立方体又は直方体となる。
【００１５】
本慣性噴霧式芳香剤散布器をトイレ等の出入口の扉に取りつける方法は、ネジによる固着でも、粘着剤による貼りつけ、またはそのようにして取りつけられたホルダーへの固定でも構わない。
【００１６】
本発明の慣性噴霧式芳香剤散布器の容器本体の材質は特に限定されず、例えば、軽量で耐蝕性の優れたポリウレタン、ポリエチレン、ポリ塩化ビニール、ポリプロピレン等の重合系高分子樹脂等が適している。オモリ体の材質については、慣性により開口する程度の質量が要求される為、金属等の比重の大きい材質が好ましい。
【００１７】
【発明の効果】
本発明の慣性噴霧式芳香剤散布器は、出入口の扉の開閉によって、容器内部のオモリ体が慣性を利用して、容器本体に対して相対的に移動して、簡易な構成で便所内に芳香成分を放散させることが出来る。
【図面の簡単な説明】
【図１】本発明の実施例の断面図である。
【図２】本発明の実施例の断面図である。
【図３】本発明の実施例の断面図である。
【図４】本発明の実施例の断面図である。
【図５】本発明の実施例の断面図である。
【図６】本発明の実施例の断面図である。
【図７】本発明の実施例の断面図である。
【図８】本発明の実施例の断面図である。
【図９】本発明の実施例の正面断面図である。
【図１０】本発明の実施例の側面断面図である。
【図１１】本発明の実施例の正面断面図である。
【図１２】本発明の実施例の上面断面図である。
【図１３】本発明の実施例の正面断面図である。
【図１４】本発明の実施例の正面断面図である。
【符号の説明】
１・・・・気室
２・・・・気室
３・・・・気室
４・・・・容器本体
５・・・・隔壁
６・・・・隔壁
７・・・・隔壁
８・・・・弁
９・・・・兆番
１０・・・支持体
１１・・・栓
１２・・・オモリ体
１３・・・小穴
１４・・・小穴
１５・・・噴出ノズル
１６・・・パイプ
１７・・・液体芳香剤
２１・・・気室
２２・・・気室
２３・・・気室
２４・・・容器本体
２５・・・隔壁
２６・・・隔壁
２７・・・隔壁
２８・・・弁
２９・・・球型オモリ体
３０・・・小穴
３１・・・小穴
３２・・・噴出ノズル
３３・・・隔壁
３４・・・パイプ
３５・・・液体芳香剤
４１・・・気室
４２・・・気室
４３・・・容器本体
４４・・・パイプ
４５・・・オモリ体
４６・・・小穴
４７・・・小穴
４８・・・開口部
４９・・・兆番
５０・・・弁
５１・・・開口部
５２・・・兆番
５３・・・弁
５４・・・芳香剤
【図１】
2004357739.tif 000003
【図２】
2004357739.tif 000004
【図３】
2004357739.tif 000005
【図４】
2004357739.tif 000006
【図５】
2004357739.tif 000007
【図６】
2004357739.tif 000008
【図７】
2004357739.tif 000009
【図８】
2004357739.tif 000010
【図９】
2004357739.tif 000011
【図１０】
2004357739.tif 000012
【図１１】
2004357739.tif 000013
【図１２】
2004357739.tif 000014
【図１３】
2004357739.tif 000015
【図１４】
2004357739.tif 000016